(57)【要約】【課題】真空吸引装置１への水滴や砂の混入を防止可能な挿線装置を提供すること。【解決手段】管路３と真空吸引装置１とを連通するエアホース２の途中に水滴分離タンク５を設ける。水滴分離タンク５は、第１ホース２Ａから空気が下方へ吹き込まれるエア吹き込み筒部５１と、水滴分離タンク５内の空気を上方へ吸い込んで第２ホース２Ｂへ導入するエア吸い込み筒部５２とを有する。【選択図】図１
2010142078.tif 000002
【特許請求の範囲】
【請求項１】
ケーブルを管路内に敷設するために前記管路内に配置された引き込み線を吸引する空気吸引装置と、前記吸引のために前記管路の一端開口と前記空気吸引装置の吸引口とを連通する挿線装置用のエアホースにおいて、
前記エアホースは、複数の前記空気吸引装置に個別に接続可能な出口端部をもつ複数の小エアホースを有し、
前記複数の小エアホースの入口端部は、前記管路の一端開口から空気を並列に吸引可能に一体化されていることを特徴とする挿線装置のエアホース。
【請求項２】
請求項１記載の挿線装置のエアホースにおいて、
前記複数の小エアホースの前記入口端部が挿入される円錐筒状の管路開口遮蔽筒を有し、
前記管路開口遮蔽筒の径小な先端部は、挿線すべき前記管路よりも小径に形成され、
前記管路開口遮蔽筒の径大な後端部は、挿線すべき前記管路よりも大径に形成されている挿線装置のエアホース。
【請求項３】
請求項１記載の挿線装置のエアホースにおいて、
前記複数の小エアホースの前記入口端部は、前記管路開口遮蔽筒に空気漏れ不能に挿入されて前記管路開口遮蔽筒に固定されている挿線装置のエアホース。
【請求項４】
請求項１記載の挿線装置のエアホースにおいて、
前記管路開口遮蔽筒は、前記複数の小エアホースの前記入口端部への前記引き込み線の侵入を防止するためのネット状部材を有し、
前記ネット状部材は、前記複数の小エアホースよりも前方に配置されている挿線装置のエアホース。
【請求項５】
請求項１記載の挿線装置のエアホースにおいて、
前記管路の前記一端開口が開口する壁面に前記一端開口を囲んで密着可能な椀状部材を有し、
前記複数の小エアホースは、前記管路の前記一端開口から前記椀状部材に流入した空気を吸引可能に前記椀状部材に固定される挿線装置のエアホース。
【請求項６】
請求項１記載の挿線装置のエアホースにおいて、
前記エアホースは、
前記管路の前記一端開口に空気吸引可能に設置される径大な先端筒部を有し、
前記複数の小エアホースの前記入口端部は、前記エアホースの先端筒部から並列に分岐している挿線装置のエアホース。
【請求項７】
請求項１記載の挿線装置のエアホースにおいて、
空気吸入孔と空気排出孔とを上部に有して密閉された水滴分離タンクを有し、
前記エアホースは、前記前記管路の前記一端開口と前記エアホースの前記空気吸入孔とを連通する上流ホース部を有し、
前記複数の小エアホースの前記入口端部は、前記水滴分離タンクの前記空気排出孔に結合される挿線装置のエアホース。
【発明の詳細な説明】
【技術分野】
【０００１】
本発明は、管路内へのケーブルの挿線作業に好適に用いられる挿線装置のエアホースに関する。
【背景技術】
【０００２】
空又は既にケーブルが敷設された管路にケーブルを敷設する場合、管路に予め挿通した引き込み線の先端にケーブルの先端を固定してこの引き込み線を引き戻すことにより、ケーブルを管路内へ挿線するのが一般的である。
【０００３】
この引き込み線挿通作業において、管路内に気流を形成し、引き込み線の先端に挿線用風受け部材を固定することにより、又は、気流が挿線用風受け部材に与える流体抵抗力（ドラッグフォース）又は挿線用風受け部材前後の静圧差により、挿線用風受け部材を引き込み線挿通方向へ付勢する引き込み線挿通技術（以下、吸い込み式引き込み線挿通技術と略称する）が、公知となっている。その他、圧縮空気により、管路内の挿線用風受け部材を押し込む押し込み式引き込み線挿通技術も公知となっている。
【０００４】
たとえば、本出願人により所有されている下記の特許文献１は、引き込み線の先端部に大きな流体抵抗力（ドラッグフォース）を発生するテープ状の挿線用風受け部材を多数設けることを提案している。各テープは、既設ケーブルや管路の角部などの障害があっても柔軟に変形してそれを回避しつつ前進することができる。かつ、これらの障害によりテープが曲がるとそのドラッグフォースすなわちテープ推進スラストが一層増大するという利点がある。また、前後の差圧によりスラストを発生するパラシュート型の挿線用風受け部材も公知となっている。つまり、従来の挿線方式としては、流体抵抗利用推進方式と差圧利用推進方式とが知られている。
【０００５】
吸い込み式引き込み線挿通技術において、管路内に気流を形成したり、挿線用風受け部材前後に差圧を形成するために管路の引出口側から管路内の空気を吸引する空気吸引装置が用いられる。
【特許文献１】特許第４１１７８６１号公報
【発明の開示】
【発明が解決しようとする課題】
【０００６】
しかしながら、工事中のビルや既設ビルなどの実際の挿線工事現場で挿線を行う管路は、様々な口径、様々な管路長、様々な引っ張り抵抗とをもつ。なお、ここで言う引っ張り抵抗とは、ブロワや真空ポンプなどの空気吸引装置により管路内の引き込み線を移動させる場合に、引き込み線に作用する抵抗力を言う。具体的に説明すると、管路の引っ張り抵抗は、管路内の既設ケーブルの数や敷設状態、管路内面の異物（たとえば水や錆や配管継ぎ目などの引っ掛かり部）の存在状態などにより種々異なる。
【０００７】
管路長が短い場合や管路の引っ張り抵抗が小さい場合には、空気吸引装置により管路の一端開口から空気を吸引することにより、挿線用風受け部材は引き込み線を引っ張って良好に管路内を前進する。
しかしながら、管路長が長い場合や管路の引っ張り抵抗が大きい場合には、空気吸引装置により管路の一端開口から空気を吸引しても、引き込み線は管路内をまったく前進できないかあるいはその前進速度は極めて遅くなる。この問題は、管路内に多数の既設ケーブルが複雑な敷設形状で存在する場合に特に顕著であることがわかった。
この問題を改善するためには、吸引空気流量及び吸引空気差圧の両方とも大きい空気吸引装置により管路内の空気を吸引することが有効である。
【０００８】
吸引空気流量が小さいたとえば真空（負圧）吸引装置（たとえば掃除機）などでは、発生差圧は大きいものの管路内の空気流量が小さいため引き込み線の前進速度が遅くなる。更に、挿線用風受け部材と管路内面との間の隙間を漏れる漏れ空気により挿線用風受け部材に作用する有効な差圧は簡単に低下してしまう。
吸引空気流量が大きいたとえばブロワなどでは、管路内の空気流量は大きいため挿線用風受け部材と管路との間の空気漏れには強いものの、挿線用風受け部材に作用する差圧が小さいため引き込み線は管路内の引っ張り抵抗が大きい部位にて簡単に停止してしまう。
【０００９】
結局、空気流量及び発生差圧の両方が大きい空気吸引装置（たとえばバキュームカー）を使用するのが、挿線トラブルを防ぐ最良の方法であるが、このような高価で大型の空気吸引装置（たとえばバキュームカー）を挿線工事に常時帯同することは面倒であり、大部分の挿線工事においては不必要であった。
【００１０】
本発明は上記問題点に鑑みなされたものであり、初期投資費用及び維持費用が小さく、操作が容易な挿線工事が可能な挿線装置のエアホースを提供することをその目的としている。
【課題を解決するための手段】
【００１１】
上記課題を解決するこの発明は、ケーブルを管路内に敷設するために前記管路内に配置された引き込み線を吸引する空気吸引装置と、前記吸引のために前記管路の一端開口と前記空気吸引装置の吸引口とを連通する挿線装置用のエアホースにおいて、前記エアホースは、複数の前記空気吸引装置に個別に接続可能な出口端部をもつ複数の小エアホースを有し、前記複数の小エアホースの入口端部は、前記管路の一端開口から空気を並列に吸引可能に一体化されていることを特徴としている。
【００１２】
すなわち、この発明では、管路から空気吸引装置へ空気を流すエアホースの少なくとも末端部が複数の小エアホースに分岐し、各小エアホースの後端開口が複数の空気吸引装置の吸引口に個別に接続可能な形状をもつ点をその特徴としている。
このようにすれば、たとえば一般の掃除機のような小型の汎用空気吸引装置を複数並列に用いて管路内の空気を吸引することができるので、管路内に大きな流量と大きな差圧をもつ空気流を形成することができるため、管路の引っ張り抵抗を大きい場合でも、引き込み線を良好に推進させることができる。
【００１３】
更に説明すると、発明者らの試験によれば口径１２０ｍｍ、長さ２００〜３００ｍの管路内に挿線用風受け部材付きの引き込み線を通線する場合、ある程度大きな風量とある程度大きな吸引差圧を発生する空気吸引装置が好適なことが判明した。
ここで言うある程度大きな風量とは翼半径が２００〜３００ｍｍ、回転数１８００ｒｐｍ程度で定格消費電力が１ｋW程度のプロペラ型ブロワの風量である。しかし、このような汎用ブロワの吸引差圧は小さいので、挿線用風受け部材の推進力（スラスト）を生み出すその前後差圧は小さいため、管路内部の障害物（たとえば既設ケーブルの出っ張り）や管路の曲がり部などにおいて引っ張り抵抗が増大すると、挿線用風受け部材の推進力ではそれを乗り越えるのが困難となったり、あるいは挿線用風受け部材の前進速度が非常に低下してしまう。
【００１４】
ここで言うある程度大きな吸引差圧とは定格消費電力が１〜３ｋW程度の業務用掃除機の吸引差圧である。しかし、この種の真空吸引装置の吸引風量は小さいため、引き込み線を牽引する挿線用風受け部材を迂回する漏れ空気量が管路内部の障害物や管路の曲がり部などにおいて増大すると、挿線用風受け部材の前進が困難となったり、挿線用風受け部材の前進速度が非常に低下してしまう。
【００１５】
これに対して、本発明のエアホースの末端部は、複数の小エアホースに分岐している。これにより、吸引風量が小さいたとえば掃除機などの真空吸引装置を複数準備し、各小エアホースを各真空吸引装置に個別に接続すれば、十分に大きな吸引差圧と真空吸引装置の個数に比例した吸引風量とを簡単に得ることができる。
つまり、大風量と大吸引差圧との両方をもつ特殊な空気吸引装置を用いることなく、吸引差圧が比較的大きな汎用の真空吸引装置を並列使用することにより、短時間で確実な挿線作業を実現することができる。結局、本発明によれば、初期投資費用及び維持費用が小さく、操作が容易な挿線工事が可能となる。
【００１６】
更に、管路長が比較的短かったり、管路の引っ張り抵抗が小さいことが予測される工事現場では、複数の小エアホースの一部を封栓することにより、小エアホースの数よりも少ない空気吸引装置を運転して作業を行うこともできる。このようにすれば、消費電力を節減し、段取りなどの作業の手間を簡素化することができる。
【００１７】
好適な態様において、前記複数の小エアホースの前記入口端部が挿入される円錐筒状の管路開口遮蔽筒を有し、前記管路開口遮蔽筒の径小な先端部は、挿線すべき前記管路よりも小径に形成され、前記管路開口遮蔽筒の径大な後端部は、挿線すべき前記管路よりも大径に形成されている。このようにすれば、エアホースを種々の内径の管路にセットすることができる。また、管路の負圧によりエアホースを良好に管路の出口部に固定することもできるため、管路内の引き込み線の引き込み（牽引）作業中ずっと、エアホースを管路の出口に保持する手間が要らず、省力化を実現することができる。
【００１８】
なお、各小エアホースの一体化された入口端部は、管路開口遮蔽筒に脱着可能に管路開口遮蔽筒に挿入されてもよく、管路開口遮蔽筒と各小エアホースの入口端部とを一体化してもよい。
好適な態様において、前記管路開口遮蔽筒の外周面にはゴム層が形成されている。このようにすれば、管路の出口部分が錆や工事不良などにより凹凸を有していたり、曲がっていたりしても、それに合わせてゴム層が弾性変形するので、簡素な構造により上記空気漏れを防止することができる。
好適な態様において、前記複数の小エアホースの前記入口端部は、前記管路開口遮蔽筒に空気漏れ不能に挿入されて前記管路開口遮蔽筒に固定されている。このようにすれば、管路開口遮蔽筒と小エアホースとの間の隙間からの空気漏れ防止が容易となる。更に、一体化された各小エアホースの入口端部を管路開口遮蔽筒に挿入し、支持する手間を省くことができる。
【００１９】
好適な態様において、前記管路開口遮蔽筒は、前記複数の小エアホースの前記入口端部への前記引き込み線の侵入を防止するためのネット状部材を有し、前記ネット状部材は、前記複数の小エアホースよりも前方に配置されている。これにより、管路内を移動した挿線用風受け部材や引き込み線が小エアホース内に侵入するのを防止することができる。
好適な態様において、前記管路の前記一端開口が開口する壁面に前記一端開口を囲んで密着可能な椀状部材を有し、前記複数の小エアホースは、前記管路の前記一端開口から前記椀状部材に流入した空気を吸引可能に前記椀状部材に固定される。これにより、上記と同様の効果を奏することができる。なお、椀状部材は、空気吸引装置が形成する負圧により壁面に密着することができる。
【００２０】
好適な態様において、前記エアホースは、前記管路の前記一端開口に空気吸引可能に設置される径大な先端筒部を有し、前記複数の小エアホースの前記入口端部は、前記エアホースの先端筒部から並列に分岐している。このようにすれば、上記と同様の効果を奏することができる。
好適な態様において、前記小エアホースの前記出口端部に脱着可能に嵌着されるキャップを有し、前記キャップは、前記小エアホースの前記出口端部近傍に紐状部材により固定されている。このようにすれば、管路状況に応じて適切な数の空気吸引装置を容易に選択することができる。
【００２１】
好適な態様において、空気吸入孔と空気排出孔とを上部に有して密閉された水滴分離タンクを有し、前記エアホースは、前記前記管路の前記一端開口と前記エアホースの前記空気吸入孔とを連通する上流ホース部を有し、前記複数の小エアホースの前記入口端部は、前記水滴分離タンクの前記空気排出孔に結合される。このようにすれば、管路内の水を容易に水滴分離タンクに吸収、分離するとともに、各空気吸引装置を容易に並列使用することができる。また、水滴の流入による空気吸引装置の故障を防止し、感電の危険も減らすことができる。更に、砂などの異物を水滴同様に分離できるため、このような砂などの異物がたとえば真空空気吸引装置に吸引されてそれを故障させるのも防止することができる。更に、管路内の水滴や異物を専用装置により予めクリーニングしてから吸い込み式引き込み線挿線装置を作動させる必要がないため、作業能率が向上する。
【発明を実施するための最良の形態】
【００２２】
本発明のエアホースを用いる挿線装置の好適実施例を具体的に説明する。ただし、本発明は下記の実施形態に限定解釈されるものではなく、他の公知の技術を組み合わせて本発明の技術思想を具現しても良い。
【００２３】
（実施形態１）
実施形態１の挿線装置を図１を参照して説明する。図１はこの実施例の挿線装置の全体構成を示す模式縦断面図である。
１Ａ、１Ｂは、本発明で言う空気吸引装置をなす真空吸引装置であり、それぞれモータにより駆動される真空ポンプにより構成されている。真空吸引装置１Ａ、１Ｂは、たとえば業務用の電気掃除機を採用することができる。吸引流量はそれほど大きくないものの、吸引差圧は大きいこの種の真空吸引装置１Ａ、１Ｂは周知であるため、これ以上の説明は省略する。
【００２４】
２はゴム筒製又は樹脂筒製のエアホースである。エアホース２は、２本の小エアホース２２Ａ、２２Ｂにより構成されている。小エアホース２２Ａの出口部（後端部）は真空吸引装置１Ａの吸引口に接続され、小エアホース２２Ｂの出口部（後端部）は真空吸引装置１Ｂの吸引口に接続されている。真空吸引装置１Ａは小エアホース２２Ａを通じて空気を吸引し、真空吸引装置１Ｂは小エアホース２２Ｂを通じて空気を吸引する。
３は道路下に埋設されたケーブル敷設管をなす管路であり、６は引き込み線である。７、８はマンホール、９は道路の舗装部である。マンホール７、８は道路に沿いつつ所定距離たとえば２００メートル程度離れている。地中に埋設された管路３の挿入口はマンホール８の壁面に開口し、管路３の引出口（一端開口）３１はマンホール７の壁面に開口している。引き込み線６の先端には挿線用風受け部材６２の尾部が固定されている。
【００２５】
小エアホース２２Ａ、２２Ｂからなるエアホース２の先端部（入口端部）は、入口側円筒部材（椀状部材）２２に一体に固定されている。入口側円筒部材２２は、ゴム製であり椀状に形成されている。小エアホース２２Ａ、２２Ｂの先端部は、入口側円筒部材２２の内部に突出しており、入口側円筒部材２２を内部の空気を吸引する。
入口側円筒部材２２は、管路３の引出口（一端開口）３１を囲んで内部の負圧によりマンホール７の壁面に良好に密着している。すなわち、管路３が開口する壁面等に入口側円筒部材２２の先端周縁部を密着させた場合、真空吸引装置１Ａ、１Ｂの吸引により入口側円筒部材２２の周縁部が管路周囲の壁面に吸着し、入口側円筒部材２２は安定に保持される。入口側円筒部材２２の先端周縁部が壁面の凹凸に沿いつつ弾性変形可能なため、空気漏れも良好に低減される。
【００２６】
真空吸引装置１Ａ、１Ｂを駆動することにより、管路３内の空気はエアホース２を通じて真空吸引装置１Ａ、１Ｂに吸引されると、パラシュート状の挿線用風受け部材６２に作用する圧力差により引き込み線６は管路３内をその引出口３１側へ移動する。
この実施形態では、エアホース２として小エアホース２２Ａ、２２Ｂを並列使用するので、吸引差圧が大きいものの比較的吸引流量を大きく取れない掃除機タイプの真空吸引装置を２台並列使用することができる。その結果、管路３内の空気流量を増大することができ、簡素な構成にて迅速かつ確実に挿線作業を実施することができる。
【００２７】
（実施形態２）
実施形態２の挿線装置を図２を参照して説明する。図２は、エアホース２の先端部を拡大図示する模式拡大縦断面図である。この実施形態の挿線装置は、図１の挿線装置のエアホース２の先端部の構造を変更した点にその特徴がある。
この実施形態では、エアホース２をなす小エアホース２２Ａ、２２Ｂの先端部に管路開口遮蔽筒４を被せた点にその特徴がある。管路開口遮蔽筒４は、管路３の引出口３１から管路３内への空気侵入を防止するために両端開口の円錐筒形状に形成されたゴム部材である。
たとえばゴム筒又はフレキシブルな樹脂筒からなる小エアホース２２Ａ、２２Ｂの先端部は、管路開口遮蔽筒４の内部に配置され、小エアホース２２Ａ、２２Ｂの外周部と管路開口遮蔽筒４の内周面との間の隙間には、シール部材１２が充填されている。また、シール部材１２は、小エアホース２２Ａ、２２Ｂと管路開口遮蔽筒４とを接合している。
【００２８】
管路開口遮蔽筒４の径小な先端部は、小エアホース２２Ａ、２２Ｂの先端よりも更に前方に突出している。管路開口遮蔽筒４の径小な先端部は管路３よりも径小に形成され、管路３の出口部に挿入されている。管路開口遮蔽筒３の後端部は管路３よりも径大に形成されている。すなわち、管路開口遮蔽筒４は円錐面をもつため、種々の内径をもつ管路３に対して、管路開口遮蔽筒４の外周面は管路３の出口に空気漏れを防ぎつつ密着することができる。
【００２９】
更に、この実施形態では、管路開口遮蔽筒４を弾性変形可能なゴム製としているため、管路開口遮蔽筒４と管路３の出口との間の隙間からの空気漏れを更に良好に低減することができる。なお、管路開口遮蔽筒４を樹脂製とし、その外周面にゴム膜を被着してもよい。空気吸引により、管路開口遮蔽筒４は管路３に引き込まれるため、管路開口遮蔽筒４は、管路３の出口部に安定に保持される。
１１は、円錐筒状の管路開口遮蔽筒４の先端面に固定された金網である。金網１１は、到着した挿線用風受け部材６２のそれ以上の進行を停止させる。
【００３０】
（変形態様）  
上記した実施形態１、２では、エアホース２を２本の小エアホース２２Ａ、２２Ｂにより構成したが、更に多数の小エアホースによりエアホース２を構成しても良い。たとえば図３は、図２の管路開口遮蔽筒４内に４本の小エアホース２２Ａ、２２Ｂ、２２Ｃ、２２Ｄを挿入した例を示す。この場合には、４台の真空吸引装置を用いることができるので、管路３の空気流量をほぼ４倍に増加することができる。
【００３１】
（実施形態３）
実施形態３を図４を参照して説明する。図４はこの実施形態の特徴をなすエアホース２の中間部分に設けられた水滴分離タンク５を示す。この水滴分離タンク５は、灯油を入れるためのポリタンクと同様の形状をもち、その上端の開口にはそれぞれ樹脂製のエア吹き込み筒部５１及びエア吸い込み筒部５２が接着されている。
エアホース２は、先端部が図１、図２に示す管路３の引出口３１とエア吹き込み筒部５１とを接続する第１ホース２Ａと、エア吸い込み筒部５２と真空吸引装置（図１を参照されたい）１Ａ、１Ｂとを接続する第２ホース２Ｂとからなる。
【００３２】
第１ホース２Ａは、径大な一本のエアホースからなる。第１ホース２Ａの先端部には、図１に示す入口側円筒部材２２又は図２に示す管路開口遮蔽筒４が被せられ、実施形態１、２と同様に管路３内の空気を水滴分離タンク５内に吸引する。
第２ホース２Ｂは、エア吸い込み筒部５２に嵌着される大径の先端筒部２２Ｅと、この先端筒部２２Ｅ内に挿入されて固定された小エアホース２２Ａ、２２Ｂとからなる。小エアホース２２Ａの後端部は図１と同じく真空吸引装置１Ａの吸引口に接続され、小エアホース２２Ｂの後端部は図１と同じく真空吸引装置１Ｂの吸引口に接続されている。
【００３３】
これにより、水滴分離タンク５内の空気は、小エアホース２２Ａ、２２Ｂを通じて真空吸引装置１Ａ、１Ｂに吸引される。すなわち、真空吸引装置１Ａ、１Ｂを駆動すると、管路３内の空気は第１ホース２Ａ、水滴分離タンク５及び第２ホース２Ｂ（小エアホース２２Ａ、２２Ｂ）を通じて真空吸引装置１Ａ、１Ｂに吸引された後、外部に排出される。管路３内に水や砂などが存在する場合、これらの異物は空気流に混じって管路３から第１ホース２Ａを通じて水滴分離タンク５に移動する。
【００３４】
エア吹き込み筒部５１及びエア吸い込み筒部５２は、水滴分離タンク５内に垂下しているため、空気に比べて比重が格段に大きい水滴や砂などは水滴分離タンク５の底部に堆積する。水滴分離タンク５の壁面に透明窓を設けたり、水滴分離タンク５を透光性としてもよい。
この水滴分離タンク５をエアホース２に介設することにより、真空吸引装置１内に水や砂が混入することを防止することができ、その耐久性を向上し、真空ポンプである高価な空気吸引装置の故障を防止し、感電も防止することができる。更に、管路内の水滴や異物を予めクリーニングしてから吸い込み式引き込み線挿線装置を作動させる必要がないため、作業能率が向上することができる。
【００３５】
（変形態様）
なお、上記各実施形態では、エアホース２をなす各小エアホースをすべて空気吸引に利用したが、管路３が短い場合などでは、一部の小エアホースの後端部にキャップを被せることにより、残る小エアホースだけを用いて管路３内の空気を吸引してもよい。
【００３６】
（実施形態４）
実施形態４の挿線装置を図４を参照して説明する。図４はこの実施例の挿線装置のエアホース近傍を拡大図示する模式縦断面図である。
この実施形態は、図３に示す実施形態２の挿線装置において、エアホース２を３本の小エアホース２２Ａ、２２Ｂ、２２Ｃにより構成し、更に小エアホース２２Ａ、２２Ｂ、２２Ｃの先端部を、円錐筒状の管路開口遮蔽筒４の先端面よりも更に前方に突出させた点にその特徴がある。
【００３７】
小エアホース２２Ａ、２２Ｂ、２２Ｃは、３個の真空吸引装置に接続されている。ただし、図５では２つの真空吸引装置１Ａ、１Ｂだけが図示されている。
小エアホース２２Ａ、２２Ｂ、２２Ｃの先端部（前端部）は一体化されている。ただし、この実施形態では、小エアホース２２Ａ、２２Ｂ、２２Ｃの先端部（前端部）は、円錐筒状の管路開口遮蔽筒４に着脱可能に挿入されている。作業者はこの小エアホース２２Ａ、２２Ｂ、２２Ｃの先端部（前端部）を実施形態３で説明した水滴分離タンク５のエア吸い込み筒部５２又はそれに相当する水滴分離タンク５の孔に挿入することができる。金網１１は、小エアホース２２Ａ、２２Ｂ、２２Ｃの先端部（前端部）に被せられており、到着した挿線用風受け部材６２のそれ以上の進行を停止させる。
【００３８】
この実施形態によっても、他の実施形態と同様の効果を奏することができる。
【図面の簡単な説明】
【００３９】
【図１】実施形態１の挿線装置の縦断面図である。
【図２】実施例２のエアホースの先端部を拡大図示する模式拡大縦断面図である。
【図３】実施例１、２のエアホースの変形態様を示す模式径方向断面図である。
【図４】実施形態３に用いる水滴分離タンクを示す縦断面図である。
【図５】実施形態４の挿線装置のエアホース近傍を拡大図示する模式縦断面図である。
【符号の説明】
【００４０】
１  真空吸引装置（空気吸引装置）
２  エアホース（エアホース）
３  ケーブル敷設管（管路）
４  管路開口遮蔽筒
５  水滴分離タンク
６  引き込み線
７、８  マンホール
９  道路の舗装部
３１  管路の引出口
６２  挿線用風受け部材（長袋）
５１  エア吹き込み筒部
５２  エア吸い込み筒部
【図１】
2010142078.tif 000003
【図２】
2010142078.tif 000004
【図３】
2010142078.tif 000005
【図４】
2010142078.tif 000006
【図５】
2010142078.tif 000007